(57)【要約】【課題】外部からあまり目立たずに、机、家具等に取付けられタッチ操作可能なタッチ操作具を提供する。【解決手段】突板からなる表面シート２と、表面シート２の裏面側に設けられた静電容量式タッチセンサからなるタッチセンサ部３と、タッチセンサ部３の下層に設けられた光源部４１乃至４６が設けられた発光部４と、タッチセンサ部３に形成された調整表示部３１，オーディオ表示部３２，照明スイッチ表示部３３乃至３５，電源スイッチ表示部３６と、を備え、光源部４１乃至４６が発光すると表示部３１乃至３６は表面シート２表面から視認可能となり、光源部４１乃至４６が消灯すると表面シート２表面から視認できなくなる。【選択図】図１
2017194792.tif 000002
【特許請求の範囲】
【請求項１】
突板あるいは和紙からなる表面シートと、
上記表面シートの裏面側に設けられた静電容量式タッチセンサからなるタッチセンサ部と、を備え、
上記表面シートの表面上の予め設定された位置である操作ポイントを指でタッチすると、上記タッチセンサ部に接続された電気機器を操作できるように構成されていること
を特徴とするタッチ操作具。
【請求項２】
上記タッチセンサ部の下層に設けられた発光部と、上記表面シートと上記発光部との間に設けられているとともに上記操作ポイントに対応する位置に設けられたタッチ表示部と、を備え、上記発光部が発光すると上記タッチ表示部は上記表面シート表面から視認可能となり、上記発光部が消灯すると上記表面シート表面から視認できなくなることを特徴とする請求項１に記載のタッチ操作具。
【発明の詳細な説明】
【技術分野】
【０００１】
本発明は、外部からあまり目立たずに、机、家具等に取付けられタッチ操作可能なタッチ操作具に関する。
【背景技術】
【０００２】
近年、静電容量式のタッチセンサを利用したスイッチが電気機器や設備等に広く採用されており、そのようなものとして特許文献１に記載のスイッチ装置がある。
【０００３】
このスイッチ装置は、エレベータのかご内操作盤１のスイッチボックス（４）内にタッチパネル式液晶ディスプレイ（１６）を設け、スイッチボックス（４）内の安全面に関するスイッチは機械式のスイッチ（１５）とし、オプション仕様で使用されるスイッチ（１６ａ）はタッチパネル式液晶ディスプレイ（１６）に設け、そのスイッチ（１６ａ）の用途や機能を示す表示文字などをその液晶ディスプレイ（１６）に表示し、タッチパネル式液晶ディスプレイ（１６）上のスイッチ（１６ａ）を指先で操作して所定の設定を行なうように構成されている。なお、上記においてカッコ内の符号は特許文献１に使用されている符号である。
【０００４】
このスイッチ装置を使用すれば、指で軽く触れるだけでスイッチ操作ができることから、エレベータ内だけでなく、例えば、部屋の机、家具等に使用したいとの要望がある。しかしながら、このスイッチ装置を机や家具等に使用した場合には、タッチパネル式液晶ディスプレイを単に机や家具の表面に組み込むこととなることから、スイッチ装置を使用しない場合においても、タッチパネル式液晶ディスプレイが露出してしまい、外観を損ねるといった新たな問題点が生ずる。
【先行技術文献】
【特許文献】
【０００５】
【特許文献１】特開２００７−８４２７７号公報
【発明の概要】
【発明が解決しようとする課題】
【０００６】
本発明は、上記問題点を解決すべくなされたものであり、机や家具等に取り付けた場合において、外部からあまり目立たずに、机や家具等の外観を損ねることがないタッチ操作具を提供することを目的とする。
【課題を解決するための手段】
【０００７】
前記の目的を達成するために、本発明のタッチ操作具は、突板あるいは和紙からなる表面シートと、上記表面シートの裏面側に設けられた静電容量式タッチセンサからなるタッチセンサ部と、を備え、上記表面シートの表面上の予め設定された位置である操作ポイントを指でタッチすると、上記タッチセンサ部に接続された電気機器を操作できるように構成されていることを特徴とする。
【０００８】
また、上記タッチセンサ部の下層に設けられた発光部と、上記表面シートと上記発光部との間に設けられているとともに上記操作ポイントに対応する位置に設けられたタッチ表示部と、を備え、上記発光部が発光すると上記タッチ表示部は上記表面シート表面から視認可能となり、上記発光部が消灯すると上記表面シート表面から視認できなくなるように構成してもよい。
【発明の効果】
【０００９】
本発明によれば、突板あるいは和紙からなる表面シートと、上記表面シートの裏面側に設けられた静電容量式タッチセンサからなるタッチセンサ部と、を備え、上記表面シートの表面上の予め設定された位置である操作ポイントを指でタッチすると、上記タッチセンサ部に接続された電気機器を操作できるように構成した。これにより、外部からあまり目立たずに、机、家具等に取付け可能なタッチスイッチを提供することができるといった効果を奏する。
【図面の簡単な説明】
【００１０】
【図１】本発明の第１実施形態に係るタッチ操作具の概略構成を示す図であり、（ａ）は部分断面図、（ｂ）は上面図。
【図２】図１に示すタッチ操作具の各構成を示す上面図であり、（ａ）は表面シートの上面図、（ｂ）はタッチセンサ部の上面図、（ｃ）は発光部の上面図。
【図３】本発明の第２実施形態に係るタッチ操作具の概略構成を示す部分断面図。
【図４】図３に示すタッチ操作具の各構成を示す上面図であり、（ａ）はタッチセンサ部の上面図、（ｂ）はタッチセンサ部のＡ−Ａ部分断面図、（ｃ）はタッチ表示部の上面図。
【発明を実施するための形態】
【００１１】
以下、本発明の実施形態に係るタッチ操作具について図面を参照して説明する。
【００１２】
図１は、本発明の第１実施形態に係るタッチ操作具１の概略構成図であり、（ａ）は各構成の積層状態を示した部分断面図、（ｂ）は上面図である。また、図２は、タッチ操作具１の各構成の概略の上面図であり、（ａ）は表面シート２、（ｂ）はタッチセンサ部３、（ｃ）は発光部４である。
【００１３】
図１（ａ）に示すとおり、タッチ操作具１は、表面シート２と、表面シート２の裏面側に設けられたタッチセンサ部３と、タッチセンサ部３の下層に設けられた発光部４とからなる。
【００１４】
表面シート２は、木材を０．２−０．６ｍｍに薄くスライスした板材である突板（つきいた）からなる。薄い板材であるので、後述するとおり、発光部４が発光した状態では下層のタッチ表示部は見えるが、発光部４が消灯した状態では下層のタッチ表示部は見えない。なお、表面シート２の大きさは、例えば、タッチ操作具１を机に設置する場合には、机の天板全面を覆える大きさである。すなわち、設置する箇所の全面を表面シート２で覆うことにより、外観を損なわずにタッチ操作具１を設置することができる。
【００１５】
タッチセンサ部３は、静電容量式タッチセンサであって、図２（ｂ）に示すとおり導電パターンによって形成された調整表示部３１、オーディオ表示部３２、照明スイッチ表示部３３，３４，３５、電源スイッチ表示部３６が設けられており、本実施形態においては、これら表示部３１乃至３６がタッチ表示部であって、これらタッチ表示部が表示される位置が操作ポイントとなる。本実施形態においては、基材はフィルムを使用しており、フィルム上に導電パターンがエッチング等により形成されている。なお、基材はフィルムに限定されず、薄板ガラスであってもよい。
【００１６】
調整表示部３１は、図２（ｂ）の矢印方向に指を滑らすことにより、オーディオのボリューム調整機能及び照明器具の明暗調整機能を有するタッチ表示部である。オーディオ表示部３２は、オーディオのスイッチのＯＮ−ＯＦＦの切り換え機能を有するタッチ表示部であり、図示しないオーディオに制御部５を介して接続されている。照明スイッチ表示部３３乃至３５は、各照明スイッチ表示部に接続された照明器具のＯＮ−ＯＦＦの切り換え機能を有するタッチ表示部である。電源スイッチ表示部３６は、タッチ操作具１のＯＮ−ＯＦＦスイッチ機能を有するタッチ表示部である。これら表示部は、表面シート２により覆われているが、表面シート２が突板で構成されていることによりタッチ操作が可能となっている。
【００１７】
各表示部３１乃至３６は、導電パターンを介してそれぞれ制御部５に接続されている。なお、本実施形態においては、フィルム基材からなるタッチセンサ部３を表面シート２の裏面に貼付しているが、表面シート２の裏面を樹脂被覆等の表面処理行い、そこにパターンを印刷することによりタッチセンサ部を形成してもよい。
【００１８】
発光部４は、ＬＥＤからなる光源部４１乃至４６と、タッチセンサ部３の制御及び光源部４１乃至４６の発光制御等を行う制御部５からなる。光源部４１は調整表示部３１の下方に配置され、光源部４２はオーディオ表示部３２の下方に配置され、光源部４３は照明スイッチ表示部３３の下方に配置され、光源部４４は照明スイッチ表示部３４の下方に配置され、光源部４５は照明スイッチ表示部３５の下方に配置され、光源部４６は電源スイッチ表示部３６の下方に配置され、光源部４１乃至４６が発光すると対応する表示部３１乃至３６が下方から照らされて、表面シート２の表面側から視認可能となる。なお、電源は図示していないが、コンセントや電池等から供給できるように構成しておけばよい。
【００１９】
次に、タッチ操作具１の使用例について説明する。タッチ操作具１は、表面が突板からなる表面シート２で構成されていることから、例えば、木目調の机、木目調の家具、木目調の壁等において、その表面を突板からなる表面シート２で構成し、所定の箇所にタッチ操作具１を取り付ければ、不使用時においてはこれらの外観を損なうことのないタッチ操作可能な机、家具、壁等を構成することが可能である。
【００２０】
このように設置されたタッチ操作具１を操作する際には、まず、指で電源スイッチ表示部３３上方の表面シート２部分をタッチする。すると、タッチ操作具１の電源がＯＮとなり、電源スイッチ表示部３３下方の光源部４６が赤色に発光し、電源スイッチ表示部３３が表面シート２の表面側から視認可能となる。同時に、その他の光源部４１乃至４５が緑色に発光する。
【００２１】
次に、照明スイッチ表示部３４に接続された照明器具を点灯させたい場合には、照明スイッチ表示部３４上方の表面シート２部分をタッチすると、光源部４４が赤色に発光するとともに対応する照明器具が点灯する。このような状態から、この照明器具の明るさを調整したい場合には、調整表示部３１が光源部４１により青色に照らされ表面シート２の表面側から視認されているので、図１（ｂ）に示す矢印のいずれかの方向に指を滑らすことにより該照明器具は暗くなったり明るくなったりする。
【００２２】
また、このような状態からオーディオを聴きたい場合には、オーディオ表示部３２上方の表面シート２部分を指でタッチする。すると、オーディオのスイッチがオンされ、光源部４２が赤色に発光するとともに、調整表示部３１の機能がオーディオの音量調節機能に変更される。音量の調節は上記照明の明暗調整と同様に、矢印方向に指を滑らすことにより行う。
【００２３】
このような状態から、タッチ操作具１の操作を終了したい場合には、指で電源スイッチ表示部３３上方の表面シート２部分をタッチする。すると、タッチ操作具１の電源がＯＦＦとなり、全ての光源部４１乃至４６が消灯し、全ての表示部３１乃至３６が表面シート１表面から見えなくなる。
【００２４】
上記実施形態においては表面シート２を突板で構成したが、和紙であってもよい。例えば、和紙を表面に使用する襖等に使用すれば、外観を損ねることなくタッチ操作可能な襖を構成することができる。
【００２５】
なお、上記実施形態におけるタッチセンサ部３による光源部４１乃光源部４６の発光消灯は、いわゆるスタティック駆動方式を採用したが、以下に説明するようなＸ−Ｙのマトリックス駆動方式を採用することも可能である。以下本発明のタッチ操作具の第２実施形態について説明するが、同様の構成については詳細な説明は省略する。
【００２６】
図３は、本発明の第２実施形態に係るタッチ操作具１０の概略構成図であり、各構成の積層状態を示した部分断面図である。また、図２は、タッチ操作具１０の各構成の概略の上面図であり、（ａ）はタッチセンサ部３００の上面図、（ｂ）はタッチセンサ部３００のＡ−Ａ部分断面図、（ｃ）はタッチ表示シート６の上面図である。なお、表面シート及び発光部は第１実施形態における表面シート２及び発光部４と同様の構成なので図示は省略している。
【００２７】
図３に示すとおり、タッチ操作具１０は、表面シート２と、表面シート２の裏面側に設けられたタッチセンサ部３００と、タッチセンサ部３００の下層に設けられたタッチ表示シート６と、その下層に配置された発光部４とからなる。
【００２８】
タッチセンサ部３００は、静電容量式タッチセンサであって、図４（ａ）（ｂ）に示すとおり、誘電体を介して複数のＸ電極及びＹ電極が直交配置されてそれぞれ制御部５に接続されており、交差点を指でタッチすることにより静電容量が変化しタッチ操作することができる。
【００２９】
タッチ表示シート６は、フィルム基材に調整表示部６１、オーディオ表示部６２、照明スイッチ表示部６３，６４，６５及び電源スイッチ表示部６６が顔料等により印刷されたシートである。すなわち、本実施形態においては、表示部はタッチセンサ部に形成された導電パターンによって形成するのではなく、別個独立して形成している。これら表示部６１乃至６６のそれぞれの位置に対応する上記交差点を予め制御部に記憶させておけば、使用者が表面シート２の表面を指でタッチした際に、それぞれのタッチ操作をすることが可能となる。
【００３０】
光源部４１は調整表示部６１の下方に配置され、光源部４２はオーディオ表示部６２の下方に配置され、光源部６３は照明スイッチ表示部６３の下方に配置され、光源部４４は照明スイッチ表示部６４の下方に配置され、光源部４５は照明スイッチ表示部６５の下方に配置され、光源部４６は電源スイッチ表示部６６の下方に配置され、光源部４１乃至４６が発光すると対応する表示部６１乃至６６が下方から照らされて、表面シート２の表面側から視認可能となる。
【００３１】
なお、上記実施形態においては、電源スイッチ表示部３６がタッチされる前においては、電源スイッチ表示部３６の位置が表面シート２からは見えないが、この位置を示すしるしを予め表面シート２に形成しておけばよく、この程度であれば机等の外観を損ねることもない。また、上記実施形態においては、発光部４を必須の構成としたが、発光部４がない実施形態であっても机や家具等の表面の外観を損なうことのないタッチスイッチ可能なタッチ操作具を形成することが可能である。この場合には、表面シート２上の各表示部６１乃至６６の対応する位置に予めしるしを形成しておけばよく、この程度であれば机や家具等の外観を損ねることもない。さらに、上記実施形態においては、発光部４をタッチ操作具の一つの構成要素としたが、例えば、机に設置する場合には、机の天板にＬＥＤを設置し、その上からタッチセンサ部３が裏面に貼付された表面シート２を天板全面に貼付するようにしてもよい。
【符号の説明】
【００３２】
１，１０  タッチ操作具
２        表面シート
３        タッチセンサ部
３１      調整表示部
３２      オーディオ表示部
３３，３４，３５  照明スイッチ表示部
３６      電源スイッチ表示部
４        発光部
【図１】
2017194792.tif 000003
【図２】
2017194792.tif 000004
【図３】
2017194792.tif 000005
【図４】
2017194792.tif 000006